(57)【要約】【課題】第１の筐体に配置される第１の導電部と第２の筐体に配置される第２の導電部を有する携帯端末において、２つの周波数の信号に係る通信を好適に行うことができる携帯端末を提供することができる。【解決手段】第１の給電部２８０により給電された第２の筐体３に配置される第２の導電部３６と第１のグランド部２８１に接続された第１の筐体２に配置される第１の導電部２６とが第１の無線回路部２８２に接続され、第２の給電部３８０により給電された第１の導電部２６と第２のグランド部３８１に接続された第２の導電部３６とが第２の無線回路部３８２に接続される。【選択図】図２
2010232889.tif 000002
【特許請求の範囲】
【請求項１】
第１の筐体と、
第２の筐体と、
前記第１の筐体に配置された第１の導電部と、
前記第２の筐体に配置された第２の導電部と、
前記第１の筐体と前記第２の筺体のいずれか一方に配置され、前記第１の導電部と前記第２の導電部のいずれか一方に接続される第１のグランド部と、前記第１の導電部と前記第２の導電部のいずれか他方に接続される前記第２の導電部に給電する第１の給電部と、前記第１の給電部に接続される第１の無線回路部とを有する第１の回路部と、
前記第１の筐体と前記第２の筺体のいずれか一方に配置され、前記第１の導電部と前記第２の導電部のいずれか他方に接続される第２のグランド部と、前記第１の導電部と前記第２の導電部のいずれか一方に接続される給電する第２の給電部と、前記第２の給電部に接続される第２の無線回路部とを有する第２の回路部と、を有することを特徴とする携帯端末。
【請求項２】
前記第１の導電部と前記第２の導電部のいずれか一方と前記第１のグランド部との間と前記第１の導電部と前記第２の導電部のいずれか他方と前記第１の無線回路部との間の少なくとも一方に接続されて前記第１の導電部と前記第２の導電部のいずれか一方により共振される信号の通過を抑制する第１のフィルタ部と、
前記第１の導電部と前記第２の導電部のいずれか他方と前記第２のグランド部との間と前記第１の導電部と前記第２の導電部のいずれか一方と前記第２の無線回路部との間の少なくとも一方に接続されて前記第１の導電部と前記第２の導電部のいずれか他方により共振される信号の通過を抑制する第２のフィルタ部と、の少なくとも一方を有する、ことを特徴とする請求項１に記載の携帯端末。
【請求項３】
前記第１の導電部および前記第２の導電部は、それぞれ第１の回路基板および第２の回路基板を構成し、
前記第１の回路基板および前記第２の回路基板とを接続する信号線を有し、
前記信号線には、前記第１の導電部と前記第２の導電部のいずれか一方により共振される信号の通過を抑制する第３のフィルタ部と、前記第１の導電部と前記第２の導電部のいずれか他方により共振される信号の通過を抑制する第４のフィルタ部と、の少なくとも一方が接続される、ことを特徴とする請求項１又は請求項２に記載の携帯端末。
【請求項４】
前記第１の筐体と前記第２の筐体のいずれか一方に配置される制御部と、
前記第１の導電部と前記第２の導電部のいずれか他方と前記第１のグランド部との間と前記第１の導電部と前記第２の導電部のいずれか一方と前記第１の無線回路部との間の少なくとも一方に接続されて前記第１の導電部と前記第２の導電部のいずれか他方により共振される信号の通過を抑制する第５のフィルタ部と、
前記第１の導電部と前記第２の導電部のいずれか一方と前記第２のグランド部との間と前記第１の導電部と前記第２の導電部のいずれか他方と前記第２の無線回路部との間の少なくとも一方に接続されて前記第１の導電部と前記第２の導電部のいずれか一方により共振される信号の通過を抑制する第６のフィルタ部とを備え、
前記第１の回路部は、前記第１のフィルタ部と前記第５のフィルタ部のうち、いずれか一方のフィルタ部を前記第１の無線回路部に接続させる第１の選択部とを有し、
前記第２の回路部は、前記第２のフィルタ部と前記第６のフィルタ部のうち、いずれか一方のフィルタ部を前記第２の無線回路部に接続させる第２の選択部とを有し、
前記制御部は、前記第１のフィルタ部が前記第１の無線回路部に接続され、前記第２のフィルタ部が前記第２の無線回路部に接続される第１の状態と、前記第５のフィルタ部が前記第１の無線回路部に接続され、前記第６のフィルタ部が前記第２の無線回路部に接続される第２の状態とになるように前記第１の選択部と前記第２の選択部を切り替え制御する、ことを特徴とする請求項２に記載の携帯端末。
【請求項５】
前記第１の筺体は、操作部側筺体として構成され、
前記第２の筺体は、表示部側筺体として構成され、
前記第２の導電部により共振される信号の周波数は、前記第１の導電部により共振される信号の周波数よりも低いことを特徴とする請求項１乃至請求項４のいずれか一項に記載の携帯端末。
【発明の詳細な説明】
【技術分野】
【０００１】
本発明は、外部機器と通信を行う携帯端末に関する。
【背景技術】
【０００２】
携帯端末には、第１の筐体と第２の筐体とから構成され、使用態様に応じてヒンジ部を介して開状態と閉状態とに移行可能に構成される折り畳み型のものがある。このような折り畳み型の携帯端末では、アンテナを介して外部と通信を行う通信機能を有している。ここで、携帯端末のアンテナは、通信を行う際に、ユーザによって使用されたときに、その使用状態によっては人体の影響により利得が下がり、高い通信品質を担保することができなくなる。
【０００３】
そこで、第１の筐体に配置された第１の導電部と第２の筐体に配置された第２の導電部のいずれか一方を給電することでアンテナの放射素子として機能させ、いずれか他方をアンテナのグランド（接地状態）にすることにより、使用状態に左右されずに高い通信品質を担保する技術が提案されている（例えば、特許文献１）。
【先行技術文献】
【特許文献】
【０００４】
【特許文献１】特開平１０−８４４０６号公報
【発明の概要】
【発明が解決しようとする課題】
【０００５】
しかし、特許文献１に代表される従来の携帯端末は、第１の導電部および第２の導電部という２つの導電部を用いて単一の周波数の信号に係る通信を行うことを前提としているため、複数の周波数の信号に係る通信を好適に行うことができないという課題があった。
【０００６】
本発明は、上述のような課題に鑑みてなされたものであり、第１の筐体に配置される第１の導電部と第２の筐体に配置される第２の導電部を有する携帯端末において、２つの周波数の信号に係る通信を好適に行うことができる携帯端末を提供することにある。
【課題を解決するための手段】
【０００７】
本発明の携帯端末は、第１の筐体と、第２の筐体と、前記第１の筐体に配置された第１の導電部と、前記第２の筐体に配置された第２の導電部と、前記第１の筐体と前記第２の筺体のいずれか一方に配置され、前記第１の導電部と前記第２の導電部のいずれか一方に接続される第１のグランド部と、前記第１の導電部と前記第２の導電部のいずれか他方に接続される前記第２の導電部に給電する第１の給電部と、前記第１の給電部に接続される第１の無線回路部とを有する第１の回路部と、前記第１の筐体と前記第２の筺体のいずれか一方に配置され、前記第１の導電部と前記第２の導電部のいずれか他方に接続される第２のグランド部と、前記第１の導電部と前記第２の導電部のいずれか一方に接続される給電する第２の給電部と、前記第２の給電部に接続される第２の無線回路部とを有する第２の回路部と、を有することを特徴とする。
【０００８】
また、上記携帯端末では、前記第１の導電部と前記第２の導電部のいずれか一方と前記第１のグランド部との間と前記第１の導電部と前記第２の導電部のいずれか他方と前記第１の無線回路部との間の少なくとも一方に接続されて前記第１の導電部と前記第２の導電部のいずれか一方により共振される信号の通過を抑制する第１のフィルタ部と、前記第１の導電部と前記第２の導電部のいずれか他方と前記第２のグランド部との間と前記第１の導電部と前記第２の導電部のいずれか一方と前記第２の無線回路部との間の少なくとも一方に接続されて前記第１の導電部と前記第２の導電部のいずれか他方により共振される信号の通過を抑制する第２のフィルタ部と、の少なくとも一方を有することが好ましい。
【０００９】
また、上記携帯端末では、前記第１の導電部および前記第２の導電部は、それぞれ第１の回路基板および第２の回路基板を構成し、前記第１の回路基板および前記第２の回路基板とを接続する信号線を有し、前記信号線には、前記第１の導電部と前記第２の導電部のいずれか一方により共振される信号の通過を抑制する第３のフィルタ部と、前記第１の導電部と前記第２の導電部のいずれか他方により共振される信号の通過を抑制する第４のフィルタ部と、の少なくとも一方が接続されることが好ましい。
【００１０】
また、上記携帯端末では、前記第１の筐体と前記第２の筐体のいずれか一方に配置される制御部と、前記第１の導電部と前記第２の導電部のいずれか一方と前記第１のグランド部との間と前記第１の導電部と前記第２の導電部のいずれか他方と前記第１の無線回路部との間の少なくとも一方に接続されて前記第１の導電部と前記第２の導電部のいずれか他方により共振される信号の通過を抑制する第５のフィルタ部と、前記第１の導電部と前記第２の導電部のいずれか一方と前記第２のグランド部との間と前記第１の導電部と前記第２の導電部のいずれか他方と前記第２の無線回路部との間の少なくとも一方に接続されて前記第１の導電部と前記第２の導電部のいずれか一方により共振される信号の通過を抑制する第６のフィルタ部とを備え、前記第１の回路部は、前記第１のフィルタ部と前記第５のフィルタ部のうち、いずれか一方のフィルタ部を前記第１の無線回路部に接続させる第１の選択部とを有し、前記第２の回路部は、前記第２のフィルタ部と前記第６のフィルタ部のうち、いずれか一方のフィルタ部を前記第２の無線回路部に接続させる第２の選択部とを有し、前記制御部は、前記第１のフィルタ部が前記第１の無線回路部に接続され、前記第２のフィルタ部が前記第２の無線回路部に接続される第１の状態と、前記第５のフィルタ部が前記第１の無線回路部に接続され、前記第６のフィルタ部が前記第２の無線回路部に接続される第２の状態とになるように前記第１の選択部と前記第２の選択部を切り替え制御することが好ましい。
【００１１】
また、上記携帯端末では、前記第１の筺体は、操作部側筺体として構成され、前記第２の筺体は、表示部側筺体として構成され、前記第２の導電部により共振される信号の周波数は、前記第１の導電部により共振される信号の周波数よりも低いことが好ましい。
【発明の効果】
【００１２】
本発明によれば、第１の筐体に配置される第１の導電部と第２の筐体に配置される第２の導電部を有する携帯端末において、２つの周波数の信号に係る通信を好適に行うことができる携帯端末を提供することができる。
【図面の簡単な説明】
【００１３】
【図１】本発明に係る携帯端末の外観を示す図である。
【図２】本発明に係る携帯端末の内部構造を示す模式図である。
【図３】本発明に係る携帯端末の構成を示す機能ブロック図である。
【図４】本発明に係る携帯端末の第２の実施形態を示す模式図である。
【図５】本発明に係る携帯端末の第２の実施形態の構成を示す機能ブロック図である。
【発明を実施するための形態】
【００１４】
以下、本発明の実施形態について説明する。図１は、本発明に係る携帯端末の外観を示す図である。図２は、本発明に係る携帯端末の内部構造を示す模式図である。図３は、本発明に係る携帯端末の構成を示す機能ブロック図である。
【００１５】
携帯電話装置１は、図１に示すように、操作部側筐体部２（第１の筐体）と、表示部側筐体部３（第２の筐体）と、を備えて構成される。操作部側筐体部２は、表面部２０に、操作キー群２１と、携帯電話装置１１の使用者が通話時に発した音声が入力されるマイク２２と、を備えて構成される。操作キー群２１は、各種設定や電話帳機能やメール機能等の各種機能を動作させるための機能設定操作ボタン２３と、電話番号の数字やメール等の文字等を入力するための入力操作ボタン２４と、各種操作における決定やスクロール等を行う決定操作ボタン２５と、から構成されている。
【００１６】
また、表示部側筐体部３は、表面部３５に、各種情報を表示するためのディスプレイ３１と、通話の相手側の音声を出力する音声出力部３２と、被写体を撮像するＣＣＤ（Ｃｈａｒｇｅ  Ｃｏｕｐｌｅｄ  Ｄｅｖｉｃｅ）カメラ等により構成される撮像部３３と、音楽等を外部に出力するスピーカ３４と、を備えて構成されている。
【００１７】
また、操作部側筐体部２の上端部と表示部側筐体部３の下端部とは、ヒンジ機構５を介して連結されている。また、携帯電話装置１１は、ヒンジ機構５を介して連結された操作部側筐体部２と表示部側筐体部３とを相対的に回転することにより、操作部側筐体部２と表示部側筐体部３とが互いに開かれた状態（開状態）にしたり、操作部側筐体部２と表示部側筐体部３とが折り畳まれた状態（閉状態）にしたりできる。
【００１８】
操作部側筐体部２は、図２及び図３に示すように、第１の導電部２６と、第１のフィルタ部２７と、第１の回路部２８と、制御部２９とを備える。
【００１９】
第１の導電部２６は、操作部側筐体部２に配置される図示しない第１の回路基板のグランドパターンが形成される導電部材により構成される。なお、第１の導電部２６は、第１の回路基板のグランドパターンを形成する導電部材に限られない。第１の導電部２６は、例えば、シールドケース、操作部側筐体部２を形成する導電部材等により構成してもよい。
【００２０】
また、第１の導電部２６は、例えば、第２の信号となる８００ＭＨｚの周波数の信号を含む比較的低い周波数に共振可能に構成される。なお、本実施の形態において、第２の信号となる８００ＭＨｚの周波数の信号は、通話データとして使用される。
【００２１】
第１のフィルタ部２７は、後述する第２の導電部３６と接続されており、第１の導電部２６と共振する信号の通過を抑制するように設定される。
【００２２】
第１の回路部２８は、第１の導電部２６及び第２の導電部３６と接続されており、第１の給電部２８０と、第１のグランド部２８１と、第１の無線回路部２８２とを有する。
【００２３】
第１の給電部２８０は、第１のフィルタ部２７を介して、第２の導電部３６に給電可能に接続される。第１の無線回路部２８２は、第１の給電部２８０に接続され、第１の信号をデータとして利用可能な状態に信号処理する。
【００２４】
制御部２９は、上述した第１の回路部２８と後述する第２の回路部３８を制御可能に、第１の回路部２８と第２の回路部３８に接続される。
【００２５】
表示部側筐体部３は、図２及び図３に示すように、第２の導電部３６と、第２のフィルタ部３７と、第２の回路部３８とを備える。
【００２６】
第２の導電部３６は、表示部側筐体部３に配置される図示しない第２の回路基板のグランドパターンが形成される導電部材により構成される。なお、第２の導電部３６は、第２の回路基板のグランドパターンを形成する導電部材に限られない。第２の導電部３６は、例えば、シールドケース、操作部側筐体部２を形成する導電部材等により構成してもよい。
【００２７】
また、第２の導電部３６は、例えば、第１の信号となる２ＧＨｚの周波数の信号を含む比較的高い周波数に共振可能に構成される。なお、本実施の形態において、第１の信号となる２ＧＨｚの周波数の信号は、主にメールデータとして使用される。
【００２８】
第２のフィルタ部３７は、第１の導電部２６と接続されており、第２の導電部３６と共振する信号の通過を抑制するように設定される。
【００２９】
第２の回路部３８は、第１の導電部２６及び第２の導電部３６に接続されており、第２の給電部３８０と、第２のグランド部３８１と、第２の無線回路部３８２とを有する。
【００３０】
第２の給電部３８０は、第２のフィルタ部３７を介して、第１の導電部２６に給電可能に接続される。第２の無線回路部３８２は、第２の給電部３８０に接続され、第２の信号をデータとして利用可能な状態に信号処理する。
【００３１】
また、上述した第１の導電部２６と第２の導電部３６とは、ヒンジ機構５内を通過する信号線６０により電気的に接続される。この信号線６０には、第３のフィルタ部６１及び第４のフィルタ部６２が接続される。第３のフィルタ部６１は、第１の導電部２６と共振する信号の通過を抑制するように設定される。第４のフィルタ部６２は、第２の導電部３６と共振する信号の通過を抑制するように設定される。
【００３２】
以上のように構成される携帯電話装置１は、第１の給電部２８０により第２の導電部３６を給電し、この給電された第１の導電部２６と第１のグランド部２８１に接続される第２の導電部３６が接続されることにより、第２の導電部３６が第１のアンテナの放射素子として機能し、第１の導電部２６が第１のアンテナのグランドとして機能することで、１つのアンテナ（筐体ダイポールアンテナ）を構成し、信号を受信する。
【００３３】
つまり、携帯電話装置１では、第１のアンテナにより、第２の導電部３６と共振した信号が受信される。この際、第１のフィルタ部２７において、第１の導電部２６と共振し、後述する第２のアンテナから受信される信号の通過が抑制される。そして、第１のアンテナにより受信された信号は、第１の無線回路部２８２において、第１の信号がデータとして利用可能な状態に信号処理され、制御部２９により、メールの処理に供される。
【００３４】
また、携帯電話装置１は、第２の給電部３８０により第１の導電部２６を給電し、この給電された第２の導電部３６と第２のグランド部３８１に接続される第１の導電部２６が接続されることにより、第１の導電部２６が第２のアンテナの放射素子として機能し、第２の導電部３６が第２のアンテナのグランドとして機能することで、１つのアンテナ（筐体ダイポールアンテナ）を構成し、信号を受信する。
【００３５】
つまり、携帯電話装置１では、第２のアンテナにより、第１の導電部２６と共振した信号が受信される。この際、第２のフィルタ部３７において、第２の導電部３６と共振し、第１のアンテナにより受信される信号の通過が抑制される。そして、第２のアンテナにより受信された信号は、第２の無線回路部３８２において、第１の信号がデータとして利用可能な状態に信号処理され、制御部３９により、通話の処理に供される。
【００３６】
携帯電話装置１は、上述したように、第１のアンテナと第２のアンテナから同時に異なる周波数の信号が通信される。この際、第１のアンテナにより受信される信号は、信号線６０に接続される第４のフィルタ部により表示部側筐体部３への通過が抑制される。また、第２のアンテナにより受信される信号は、信号線６０に接続される第３のフィルタ部により操作部側筐体部２への通過が抑制される。その結果、信号線６０を介する第１の導電部２６と第２の導電部３６との間の信号の伝達が遮断される。
【００３７】
上述した構成を有する第１の実施形態の携帯電話装置１によれば、以下のような効果を奏する。
【００３８】
携帯電話装置１は、第１の給電部２８０により第２の導電部３６が給電され、第１のグランド部２８１により第１の導電部２６が接続されたときに、第２の導電部３６が第１のアンテナの放射素子として機能し、第１の導電部２６がアンテナのグランドとして機能する。このために、第１のアンテナとして機能するために、第１の信号を受信することができる。
【００３９】
一方、携帯電話装置１は、第２の給電部３８０により第１の導電部２６が給電され、第２のグランド部３８１により第２の導電部３６が接続されたときに、第１の導電部２６がアンテナの放射素子として機能し、第２の導電部３６がアンテナのグランドとして機能する。このために、第２のアンテナとして機能するために、第２の信号を受信することができる。
【００４０】
このため、携帯電話装置１は、第１の導電部２６と第２の導電部３６とで第１のアンテナと第２のアンテナを構成することになり、複数の周波数の信号を好適に通信することができる。
【００４１】
なお、携帯電話装置１は、第１の回路部２８を操作部側筐体部２に配置し、第２の回路部３８を表示部側筐体部３に配置したが、これに限られない。例えば、第１の回路部２８を表示部側筐体部３に配置し、第２の回路部３８を操作部側筐体部２に配置するように構成したり、第１の回路部２８及び第２の回路部３８を同一の筐体（操作部側筐体部２又は表示部側筐体部３）に配置するように構成したりしてもよい。
【００４２】
また、携帯電話装置１は、第１のフィルタ部２７を、第２の導電部３６と第１の給電部２８０との間に設け、第２のフィルタ部３７を、第１の導電部２６と第２の給電部３８０との間に設けるように構成してもよい。
【００４３】
このように構成することにより、携帯電話装置１は、一方のアンテナから受信される信号と干渉する他方のアンテナから受信される信号の通過を抑制するために、アンテナの利得の低下を抑制することができる。
【００４４】
なお、携帯電話装置１は、第１のフィルタ部２７を第２の導電部３６と第１の無線回路部２８２との間と、第２のフィルタ部３７を第１の導電部２６と第２の無線回路部３８２との間に配置したが、これに限られない。例えば、第１のフィルタ部２７は、第１の導電部２６と第１のグランド部２８１との間、第２の導電部３６と第１の給電部２８０との間、又は第１の給電部２８０と第１の無線回路部２８２との間に設けられてもよい。また、第２のフィルタ部３７は、第２の導電部３６と第２のグランド部３８１との間、第１の導電部２６と第２の給電部３８０との間、又は第２の給電部３８０と第２の無線回路部３８２との間に設けられてもよい。また、携帯電話装置１は、フィルタ部を、第１のアンテナと第２のアンテナに対応して設けたが、これに限られず、第１のフィルタ部２７と第２のフィルタ部３７のいずれか一方を設けるようにしてもよい。
【００４５】
また、携帯電話装置１は、第１の回路基板である第１の導電部２６と第２の回路基板である第２の導電部３６とを電気的に接続する信号線６０に、第３のフィルタ部６１及び第４のフィルタ部６２を接続して構成してもよい。
【００４６】
このように構成することにより、第１のアンテナから受信される信号と干渉する信号は、第３のフィルタ部６１により通過が抑制される。また、第２のアンテナから受信される信号と干渉する信号は、第４のフィルタ部６２により通過が抑制される。このため、アンテナの利得の低下を防止することができる。なお、携帯電話装置１は、フィルタ部を、第１のアンテナと第２のアンテナに対応して設けたが、これに限られず、第３のフィルタ部６１と第４のフィルタ部６２のいずれか一方を設けるようにしてもよい。
【００４７】
また、携帯電話装置１は、第１の筐体２を操作部側筐体部２に、第２の筐体３を表示部側筐体部３に構成し、第２の導電部３６により共振される信号の周波数を、第１の導電部２６により共振される信号の周波数よりも低く構成してもよい。
【００４８】
このように構成することにより、例えば、通話に供される状態、すなわち、ユーザが操作部側筐体部２を持って携帯電話装置を操作する状態において、ユーザの手によって操作部側筐体部２が覆われてしまっても、操作部側筐体部２側から利得の欠損が少ない信号を受信するために、アンテナの利得の低減を好適に抑制することができる。
【００４９】
なお、携帯電話装置１は、第２のアンテナの放射素子（第１の導電部２６）を低い周波数の信号と共振するように構成したが、これに限られない。例えば、携帯スタンド等に設置して使用する等の携帯電話装置の使用の態様等を考慮して、どちらのアンテナの放射素子から低い周波数の信号を受信するかを決定すればよい。
【００５０】
＜第２の実施例＞
以下、本発明の第２の実施形態について説明する。第２の実施形態については、上述した第１の実施形態と異なる点を主に説明し、同様の点は、同一の符号を付して説明を省略する。特に説明しない点は、第１の実施形態についての説明が適宜適用される。図４は、本発明に係る携帯端末の第２の実施形態を示す模式図である。図５は、本発明に係る携帯端末の第２の実施形態の構成を示す機能ブロック図である。
【００５１】
第２の実施形態における携帯電話装置１は、第１の実施形態においては、回路部が１つのフィルタ部と接続するように構成したが、第２の実施形態においては、回路部が２つのフィルタ部と接続可能に構成され、制御部２９により選択された１つのフィルタ部と接続するように構成される。
【００５２】
つまり、携帯電話装置１は、第１の実施形態に加えて、第１の筐体２側（操作部側筐体部２側）に第５のフィルタ部３０を有する。第５のフィルタ部３０は、第２の導電部３６と後述する第１の選択部２８３に接続されており、第２の信号と干渉する信号の通過を抑制するように設定される。なお、本実施形態において、第１のフィルタ部２７は、第１の信号と干渉する信号の通過を抑制するように設定される。
【００５３】
また、第１の筐体側（操作部側筐体部２側）に配置される第１の回路部２８は、第１の実施形態に加えて、第１の選択部２８３を有する。第１の選択部２８３は、制御部２９により切り替え制御され、第１の無線回路部２８２に接続され、第１のフィルタ部２７と第５のフィルタ部３０のいずれかを第１の無線回路部２８２に接続させる。
【００５４】
また、携帯電話装置１は、第１の実施形態に加えて、第２の筐体３側（表示部側筐体部３側）に第６のフィルタ部４０を有する。第６のフィルタ部４０は、第１の導電部２６と後述する第２の選択部３８３に接続されており、第１の信号と干渉する信号の通過を抑制するように設定される。なお、本実施形態において、第２のフィルタ部３７は、第２の信号と干渉する信号の通過を抑制するように設定される。
【００５５】
また、第２の筐体３側（表示部側筐体部３側）に配置される第２の回路部３８は、第１の実施形態に加えて、第２の選択部３８３を有する。第２の選択部３８３は、制御部２９により切り替え制御され、第２の無線回路部３８２に接続され、第２のフィルタ部３７と第６のフィルタ部４０のいずれかを第２の無線回路部３８２に接続させる。
【００５６】
また、この実施形態において、制御部２９は、第１の選択部２８３により第１のフィルタ部２７が選択され、第２の選択部３８３により第２のフィルタ部３７が選択される第１の状態と、第１の選択部２８３により第５のフィルタ部３０が選択され、第２の選択部３８３により第６のフィルタ部４０が選択される第２の状態との間を、スイッチングするように第１の選択部２８３及び第２の選択部３８３を切り替え制御するように構成される。
【００５７】
なお、本実施の形態における第１の導電部２６及び第２の導電部３６は、第１の信号となる２ＧＨｚの周波数の信号と第２の信号となる８００ＭＨｚの周波数の信号を含む広範囲の周波数体に共振可能に構成される。
【００５８】
以上のように構成される携帯電話装置１は、制御部２９により第１の状態が選択されたときには、第１の給電部２８０により第２の導電部３６を給電し、この給電された第１の導電部２６と第１のグランド部２８１に接続される第２の導電部３６が接続されることにより、第２の導電部３６が第１のアンテナの放射素子として機能し、第１の導電部２６がアンテナの第１のグランドとして機能することで、１つのアンテナ（筐体ダイポールアンテナ）を構成し、信号を受信する。
【００５９】
つまり、携帯電話装置１では、第１のアンテナにより、第２の導電部３６と共振した信号が受信される。この際、第１のフィルタ部２７において、第１の導電部２６と共振し、第２のアンテナから受信される第１の信号と干渉する信号の通過が抑制される。そして、第１のアンテナにより受信された信号は、第１の無線回路部２８２において、第１の信号がデータとして利用可能な状態に信号処理され、制御部２９により、メールの処理に供される。
【００６０】
また、携帯電話装置１は、第２の給電部３８０により第１の導電部２６を給電し、この給電された第２の導電部３６と第２のグランド部３８１に接続される第１の導電部２６が接続される。このことにより、第１の導電部２６が第２のアンテナの放射素子として機能し、第２の導電部３６がアンテナのグランドとして機能することで、１つのアンテナ（筐体ダイポールアンテナ）を構成し、信号を受信する。
【００６１】
つまり、携帯電話装置１では、第２のアンテナにより、第１の導電部２６と共振した信号が受信される。この際、第２のフィルタ部３７において、第２の導電部３６と共振し、第１のアンテナにより受信される第２の信号と干渉する信号の通過が抑制される。そして、第２のアンテナにより受信された信号は、第２の無線回路部３８２において、第２の信号がデータとして利用可能な状態に信号処理され、制御部３９により、通話の処理に供される。
【００６２】
携帯電話装置１は、上述したように、第１のアンテナと第２のアンテナから同時に異なる周波数の信号が受信される。この際、第１のアンテナにより受信される信号は、信号線６０に接続される第４のフィルタ部により表示部側筐体部３への通過が抑制される。また、第２のアンテナにより受信される信号は、信号線６０に接続される第３のフィルタ部により操作部側筐体部２への通過が抑制される。その結果、信号線６０を介する第１の導電部２６と第２の導電部３６との間の信号の伝達が遮断される。
【００６３】
また、携帯電話装置１は、制御部２９により第２の状態が選択されたときには、第１の給電部２８０により第２の導電部３６を給電し、この給電された第１の導電部２６と第１のグランド部２８１に接続される第２の導電部３６が接続される。このことにより、第２の導電部３６が第１のアンテナの放射素子として機能し、第１の導電部２６がアンテナの第１のグランドとして機能することで、１つのアンテナ（筐体ダイポールアンテナ）を構成し、信号を受信する。
【００６４】
つまり、携帯電話装置１では、第１のアンテナにより、第２の導電部３６と共振した信号が受信される。この際、第５のフィルタ部３０において、第１の導電部２６と共振し、第２のアンテナから受信される第２の信号と干渉する信号の通過が抑制される。そして、第１のアンテナにより受信された信号は、第１の無線回路部２８２において、第２の信号がデータとして利用可能な状態に信号処理され、制御部２９により、通話の処理に供される。
【００６５】
また、携帯電話装置１は、第２の給電部３８０により第１の導電部２６を給電し、この給電された第２の導電部３６と第２のグランド部３８１に接続される第１の導電部２６が接続されることにより、第１の導電部２６が第２のアンテナの放射素子として機能し、第２の導電部３６がアンテナのグランドとして機能することで、１つのアンテナ（筐体ダイポールアンテナ）を構成し、信号を受信する。
【００６６】
つまり、携帯電話装置１では、第２のアンテナにより、第１の導電部２６と共振した信号が受信される。この際、第６のフィルタ部４０において、第２の導電部３６と共振し、第１のアンテナにより受信される第１の信号と干渉する信号の通過が抑制される。そして、第２のアンテナにより受信された信号は、第２の無線回路部３８２において、第１の信号がデータとして利用可能な状態に信号処理され、制御部３９により、メールの処理に供される。
【００６７】
携帯電話装置１は、上述したように、第１のアンテナと第２のアンテナから同時に異なる周波数の信号が受信される。この際、第１のアンテナにより受信される信号は、信号線６０に接続される第４のフィルタ部により表示部側筐体部３への通過が抑制される。また、第２のアンテナにより受信される信号は、信号線６０に接続される第３のフィルタ部により操作部側筐体部２への通過が抑制される。その結果、信号線６０を介する第１の導電部２６と第２の導電部３６との間の信号の伝達が遮断される。
【００６８】
上述した構成を有する第２の実施形態の携帯電話装置１によれば、以下のような効果を奏する。
【００６９】
このように構成することにより、制御部２９により、第１のアンテナの放射素子と第２のアンテナの放射素子から受信する信号を切り替えることができる。このため、携帯端末の使用の状態や利得状態の良し悪し等を考慮して、受信する信号を設定することができるようになり、より良好な状態で信号を受信することができる。
【００７０】
なお、携帯電話装置１は、第５のフィルタ部３０を第２の導電部３６と第１の無線回路部２８２との間と、第６のフィルタ部４０を第１の導電部２６と第２の無線回路部３８２との間に配置したが、これに限られない。例えば、第５のフィルタ部３０は、第１の導電部２６と第１のグランド部２８１との間、第２の導電部３６と第１の給電部２８０との間、又は第１の給電部２８０と第１の無線回路部２８２との間に設けられてもよい。また、第６のフィルタ部４０は、第２の導電部３６と第２のグランド部３８１との間、第１の導電部２６と第２の給電部３８０との間、又は第２の給電部３８０と第２の無線回路部３８２との間に設けられてもよい。
【００７１】
以上、本発明を好ましい実施形態に基づいて説明したが、本発明は上述した実施形態には制限されることはなく、適宜変更可能である。
【００７２】
例えば、第１の実施形態と第２の実施形態では、本発明を携帯端末の一例である携帯電話装置１に適用したが、これに限られない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等に適用してもよい。
【００７３】
また、第１の実施形態と第２の実施形態では、いわゆる折り畳み型の携帯電話装置１の形態を示しているが、これに限られない。例えば、第１の筐体と第２の筐体とを重ね合わせた状態から一方の筐体を一方向にスライドさせるようにしたスライド式や、第１の筐体と第２の筐体との重ね合せ方向に沿う軸線を中心に一方の筐体を回転させるようにした回転式（ターンタイプ）等であってもよい。
【００７４】
また、第１の実施形態と第２の実施形態では、受信される信号を、通話の処理に供される８００ＭＨｚの周波数の信号と、メールの処理に供される２ＧＨｚの周波数の信号を使用しているが、これに限られない。例えば、ＣＤＭＡ（Ｃｏｄｅ  Ｄｉｖｉｓｉｏｎ  Ｍｕｌｔｉｐｌｅ  Ａｃｃｅｓｓ）等の通信に利用される周波数の信号や地上波デジタル放送の受像に利用される周波数の信号であってもよい。また、第１のアンテナと第２のアンテナによる通信は、必ずしも同時に行われるものに限らず個別に行われるものであってもよいし、受信のみならず送信に寄与するものであってもよい。
【符号の説明】
【００７５】
１      携帯端末（携帯電話装置）
２      第１の筐体（操作部側筐体部）
３      第２の筐体（表示部側筐体部）
２６    第１の導電部（第１の回路基板）
２７    第１のフィルタ部
２８    第１の回路部
２９    制御部
３０    第５のフィルタ部
３６    第２の導電部（第２の回路基板）
３７    第２のフィルタ部
３８    第２の回路部
４０    第６のフィルタ部
６０    信号線
６１    第３のフィルタ部
６２    第４のフィルタ部
２８０  第１の給電部
２８１  第１のグランド部
２８２  第１の無線回路部
２８３  第１の選択部
３８０  第２の給電部
３８１  第２のグランド部
３８２  第２の無線回路部
３８３  第２の選択部
【図１】
2010232889.tif 000003
【図２】
2010232889.tif 000004
【図３】
2010232889.tif 000005
【図４】
2010232889.tif 000006
【図５】
2010232889.tif 000007